(57)【要約】  【課題】  除湿運転時の快適性を向上できるようにした空気調和機を提供すること。  【解決手段】  空気吸込口５ａ及び空気吹出口４ａを有するハウジング１と、前記ハウジング１内の前記空気吸込口５ａと前記空気吹出口４ａとを結ぶ空気通路内で前記空気吸込口５ａ側に配置される第１室内熱交換器６ａ及び第２室内熱交換器６ｂと、前記空気通路内で前記空気吹出口４ａ側に配置される室内送風機７とを備えている空気調和機において、前記ハウジング１内で、前記第１室内熱交換器６ａと前記第２室内熱交換器６ｂの間に、前記第１室内熱交換器６ａ及び前記第２室内熱交換器６ｂを通すことなく導入された空気を前記室内送風機７側に導出するダクト９を備え、このダクト９に空気導入量を調節する開閉手段を設ける。  【選択図】  図４
2007263516.tif 000002
【特許請求の範囲】
【請求項１】
空気吸込口及び空気吹出口を有するハウジングと、前記ハウジング内の前記空気吸込口と前記空気吹出口とを結ぶ空気通路内で前記空気吸込口側に配置される第１室内熱交換器および第２室内熱交換器と、前記空気通路内で前記空気吹出口側に配置される室内送風機とを備えている空気調和機において、前記第１室内熱交換器と前記第２室内熱交換器の間に、前記第１室内熱交換器および前記第２室内熱交換器を通すことなく導入された空気を前記室内送風機側に導出するダクトを備え、同ダクトに空気導入量を調節する開閉手段が設けられていることを特徴とする空気調和機。
【請求項２】
前記ダクトは空気導入口および空気導出口を設けてなり、前記開閉手段が前記ダクトの前記空気導出口側に配置されていることを特徴とする請求項１記載の空気調和機。
【請求項３】
前記ダクトが前記第１室内熱交換器と前記第２室内熱交換器の間のフィン群内に埋設されていることを特徴とする請求項１または請求項２記載の空気調和機。
【請求項４】
室外空気を室内に取り込む換気ファンをさらに備え、前記換気ファンから前記ダクトに室外空気が供給されることを特徴とする請求項１乃至請求項３のいずれかに記載の空気調和機。
【発明の詳細な説明】
【技術分野】
【０００１】
本発明は空気調和機に係り、詳細には、除湿運転時の快適性を向上できるようにした構造に関する。
【背景技術】
【０００２】
従来の空気調和機は、図１０に示すように、風下側の室内熱交換器６０ａ及び風上側の室内熱交換器６０ｂと、室内ファン（室内送風機）１２０と、吸い込みグリル３１０と、通風路３５０を形成している背面側のケーシング３２０と、凝縮水を受ける露受皿３３０と、開閉可能な吸込みダンパ３４０と、ケーシング３２０の上部に設けた通風路３５０とを備えた構成になっている（例えば、特許文献１参照。）。
【０００３】
このような構成により、除湿運転時に、室内熱交換器６０ｂが蒸発器、室内熱交換器６０ａが過熱器となり、室内ファン１２０を運転することによって、室内空気の空気流３６０が吸込みグリル３１０を通り、室内熱交換器６０ｂで冷却・除湿された後、室内熱交換器６０ａで加熱され、室内ファン１２０を通って空気流３７０となって室内へ吹出される。また、室内熱交換器６０ｂで生じた凝縮水は露受皿３３０に一旦受けられた後、室外へ排出される。
【０００４】
除湿運転には高風量除湿運転モードと低風量除湿運転モードがあり、高風量除湿運転モードでは、吸込みダンパ３４０が３４０ａに示すように開き、通風路３５０から室内熱交換器６０ａ、室内熱交換器６０ｂを通らない空気を取り入れて、室内ファン１２０を高風量状態で運転する。温度センサで検出した検出室温を設定室温と比較し、温度差がプラスの場合には高風量冷房気味除湿運転を行い、温度差がほぼゼロの場合には高風量等温気味除湿運転を行い、温度差がマイナスの場合には高風量暖房気味除湿運転を行う。
【０００５】
一方、低風量除湿運転モードでは、吸込みダンパ３４０が閉じ、高風量除湿運転モードと同様に検出室温と設定室温との温度差に応じて各種の運転を行う。高風量除湿運転モードによる除湿運転では、室内ファン１２０の運転が、通風路３５０を通る空気流と室内熱交換器６０ａ、室内熱交換器６０ｂを通る空気流との和による風量となる。
【０００６】
【特許文献１】特開平７−１３９８４８号公報（第１１頁〜第１２頁、第５図）
【発明の開示】
【発明が解決しようとする課題】
【０００７】
しかしながら、特許文献１のような空気調和機は、通風路３５０を通る空気流と室内熱交換器６０ａ、室内熱交換器６０ｂの空気流はそれぞれ直交する形で室内ファン１２０に導かれるようになっているので、双方の空気流が十分に混合されずに室内ファン１２０に到達するため、室内ファン１２０に結露を生じてしまうおそれがあった。
【０００８】
本発明は上記問題点に鑑み、通風路を通る、即ち室内熱交換器を通らない空気流と室内熱交換器を通る空気流とが十分に混合された上で室内送風機に導かれるように構成することで、室内送風機に結露を生じさせずに室内に空気流を送出するようにして、除湿運転時の快適性を向上できるようにした空気調和機を提供することにある。
【課題を解決するための手段】
【０００９】
本発明は上記課題を解決するため、請求項１記載の発明は、空気吸込口及び空気吹出口を有するハウジングと、前記ハウジング内の前記空気吸込口と前記空気吹出口とを結ぶ空気通路内で前記空気吸込口側に配置される第１室内熱交換器および第２室内熱交換器と、前記空気通路内で前記空気吹出口側に配置される室内送風機とを備えている空気調和機において、前記第１室内熱交換器と前記第２室内熱交換器の間に、前記第１室内熱交換器および前記第２室内熱交換器を通すことなく導入された空気を前記室内送風機側に導出するダクトを備え、同ダクトに空気導入量を調節する開閉手段が設けられていることを特徴とする構成となっている。
【００１０】
請求項２記載の発明は、請求項１記載の発明において、前記ダクトは空気導入口および空気導出口を設けてなり、前記開閉手段が前記ダクトの前記空気導出口側に配置されていることを特徴とする構成となっている。
【００１１】
請求項３記載の発明は、請求項１または請求項２記載の発明において、前記ダクトが前記第１室内熱交換器と前記第２室内熱交換器の間のフィン群内に埋設されていることを特徴とする構成となっている。
【００１２】
請求項４記載の発明は、請求項１乃至請求項３のいずれかに記載の発明において、室外空気を室内に取り込む換気ファンをさらに備え、前記換気ファンから前記ダクトに室外空気が供給されることを特徴とする構成となっている。
【発明の効果】
【００１３】
請求項１記載の本発明によれば、ハウジング内の第１室内熱交換器と第２室内熱交換器の間に、室内空気および／または室外空気（生ガス）を導入するダクトを備えるようにしたことにより、生ガス導入手段であるダクトをハウジング内に配置する上での設計の自由度が高められる。更に、ダクトにより導入された第１室内熱交換器と第２室内熱交換器を通らない空気流と、第１室内熱交換器と第２室内熱交換器を通る空気流とが、十分に混合された上で室内送風機に導かれるので、室内送風機に結露を生じさせずに室内に空気流を流すことができ、除湿運転時の快適性を向上できる。
【００１４】
請求項２記載の本発明によれば、ダクトに空気導入口および空気導出口を設け、ダクトの空気導出口側に開閉手段を配置するようにしたので、ダクト内に空気が逆流しないため、ダクト内の結露を防止することができる。
【００１５】
請求項３記載の本発明によれば、ダクトを第１室内熱交換器と第２室内熱交換器の間のフィン群内に埋設するようにしたので、第１室内熱交換器と第２室内熱交換器の配置や大きさを設計変更する必要がなく、比較的容易に既存の機種にダクトを配置することができる。更に、室内機の小型化を損なうことがない。
【００１６】
請求項４記載の本発明によれば、換気ファンからダクトに室外空気を供給するようにしたので、室内環境のさらなる快適性が高められる。
【発明を実施するための最良の形態】
【００１７】
以下、本発明の実施の形態を、添付図面に基づいた実施例として詳細に説明する。図１は本発明による空気調和機の生ガス導入用ダクトを示す説明図で、（Ａ）は室内空気を導入するダクトの一実施例を示す分解斜視図、（Ｂ）は室外空気を導入するダクトの一実施例を示す分解斜視図、図２は本発明による空気調和機の生ガス導入用ダクトを示す説明図で、（Ａ）は室内空気を導入するダクトの他の実施例を示す部分斜視図、（Ｂ）は室外空気を導入するダクトの他の実施例を示す部分斜視図、図３は図１の生ガス導入用ダクトの生ガスの流れを模式的に示す説明図で、（Ａ）は図１（Ａ）に対応する説明図、（Ｂ）は図１（Ｂ）に対応する説明図である。
【００１８】
図４は本発明による空気調和機のハウジング内での生ガス導入用ダクトの第一配置例を模式的に示す断面図、図５は本発明による空気調和機のハウジング内での生ガス導入用ダクトの第二配置例を模式的に示す断面図、図６は本発明による空気調和機のハウジング内での生ガス導入用ダクトの第三配置例を模式的に示す断面図、図７は本発明による空気調和機のハウジング内での生ガス導入用ダクトの第四配置例を模式的に示す断面図、図８は本発明による空気調和機のハウジング内での生ガス導入用ダクトの第五配置例を模式的に示す断面図、図９は本発明の空気調和機のハウジング内でのその他の生ガス導入手段の配置例を示す部分斜視図である。
【実施例１】
【００１９】
本発明の空気調和機は、図４に示すように、室内機Ｓは壁掛け式のハウジング（筐体）１を有し、ハウジング１には、室内の壁面に取り付けられるベース板２と、ベース板２に支持されるパネル本体４及び上面パネル５とが含まれている。
【００２０】
パネル本体４はハウジング１の底面から前面にかけて覆うように、上面パネル５はハウジング１の上面を覆うように設けられ、パネル本体４の底面側には空気吹出口４ａが設けられる。上面パネル５は空気吸込口５ａを有するグリルパネルからなっている。
【００２１】
空気吹出口４ａには上下風向板４ｂが設けられているが、図示しない左右風向板が設けられてもよい。上面パネル５の空気吸込口５ａの内面側には、図示しないエアフィルタが設けられる。パネル本体４の前面側にも空気吸込口が設けられてよい。
【００２２】
ハウジング１内で、上面パネル５の空気吸込口５ａからパネル本体４の空気吹出口４ａに至る空気通路内には、室内熱交換器６と室内送風機（室内ファン）７とが配置される。室内熱交換器６と室内送風機７は、ベース板２の両端に設けられている図示しない側板間に支持される。通常、室内送風機７にはクロスフローファンが用いられる。
【００２３】
室内熱交換器６は分割された熱交換器ユニットとして、パネル本体４の前面側に配置される第１熱交換器ユニット６ａと、パネル本体４の背面側に配置される第２熱交換器ユニット６ｂの少なくとも２つの熱交換器ユニットを備えている。
【００２４】
第１熱交換器ユニット６ａと第２熱交換器ユニット６ｂは、ラムダ（Λ）型に組み合わされて、室内送風機７の空気吸い込み側の周りに沿って配置されるが、図４のように、第１熱交換器ユニット６ａの下方に第３熱交換器ユニット６ｃをさらに設けてもよい。
【００２５】
パネル本体４の内面側には、第１熱交換器ユニット６ａと第３熱交換器ユニット６ｃから滴下する結露を受けるドレンパン４ｃが形成される。一方、ベース板２には、ドレンパン４ｃの底面との間で、室内送風機７から空気吹出口４ａに至る送風路を形成する送風ガイド板３が設けられ、この送風ガイド板３は、第２熱交換器ユニット６ｂに対するドレンパンを備えている。
【００２６】
図示しないが、ハウジング１内には、室内空気の温度（室温）を検出する室温センサ，室内空気の相対湿度を検出する湿度センサおよび室内熱交換器６の温度を検出する熱交換器温度センサが設けられる。室温センサと湿度センサは、室内熱交換器６の空気吸い込み面側に配置されることが好ましい。
【００２７】
本発明では、除湿時の弱冷房運転を含む冷房サイクル運転時において、潜熱による除湿性能を高めるとともに、冷房サイクル運転時における吹出空気の温度を上昇させるため、室内熱交換器６の一部分に、室内空気または室外空気（生ガスと言うことがある。）を熱交換することなく直接的に導入する生ガス導入手段と、生ガス導入手段に有する開口の空気導入量を調節する開閉手段とを備える。本発明では、生ガス導入手段にダクトを用いた例と空気導入孔を用いた例を、開閉手段にダンパーを備えた例を後述する。
【００２８】
この例において、ダンパーはスライド式で、図示しないモータによりピニオン−ラック機構を介して駆動される。モータには、好ましくはステッピングモータが用いられる。なお、ダンパーは回転式であってもよい。
【００２９】
ダンパーを開いて、生ガス導入手段の開口から生ガスを導入することにより、相対的に室内熱交換器６を通る空気量が減らされるとともに通過風速が遅くなり、その結果、室内熱交換器６の温度が室内空気の露点温度よりも低温に維持され、室内空気の露点温度と室内熱交換器６の熱交換温度の差が大きくなって除湿（潜熱）性能が高められる。また、生ガスの導入により空気吹出口４ａから吹き出される空気の温度も上昇し、冷房・除湿運転時の体感的な肌寒さも解消される。
【００３０】
また、生ガス導入手段の開口から生ガスを導入することにより、室内送風機７での結露を生じにくくすることができる。すなわち、室内送風機７の結露は、露点温度の高い空気が室内熱交換器６からの冷気により冷やされ、室内送風機７に接触することにより生ずるが、本発明の場合、開口から導入される生ガスは室内熱交換器６からの冷気と混合され、生ガスの温度が下がり、これに伴って生ガスの露点温度も下がるため、室内送風機７での結露が生じにくくなる。
【００３１】
生ガス導入手段は、第１熱交換器ユニット６ａと第３熱交換器ユニット６ｃとの間に設けられてもよいが、室内熱交換器６により冷やされた空気と、生ガス導入手段から導入さる生ガスとの混合をより良好とするには、後述する図４乃至図８に示すように、生ガス導入手段９、１０、１１、１２のように、室内送風機７から見て距離的に遠い位置に配置されることが好ましい。
【００３２】
図４乃至図８によれば、生ガスが第１熱交換器ユニット６ａと第２熱交換器ユニット６ｂからの冷気により挟まれた状態となり、生ガスと冷気との混合がより促進され、室内送風機７の結露をより効果的に防止することができる。
【００３３】
次に、図１乃至図８によって、ハウジング１内に、生ガス（室内空気もしくは室外空気（外気））を室内熱交換器６を通さずに導く生ガス導入手段について具体的に説明する。生ガス導入手段は、図１乃至図３に示すダクト９、１０が用いられる。
【００３４】
図１（Ａ）に示すダクト９は、例えば断面台形状である長尺の角筒体からなり、角筒体内に配置されるダンパー９ｃを含んでいる。角筒体の上面には、空気吸込口５ａから吸込んだ室内空気（生ガス）をダクト９内に導入するための空気導入口９ａが例えば複数のスリット状として形成されている。
【００３５】
また、角筒体の底面には、ダクト９内の生ガスを室内送風機７に向けて導出するための空気導出口９ｂが例えば複数のスリット状として形成されている。角筒体の両端は閉じられている。なお、空気導入口９ａと空気導出口９ｂは角筒体の異なる面に設けられればよく、例えば、図２（Ａ）に示すように、空気導入口９ａを各筒体の上面に設け、空気導出口９ｂ’を角筒体の両側面に設けてもよい。
【００３６】
この例において、ダンパー９ｃは、角筒体内でその底面側にスライド可能に配置される長尺のシャッター板からなり、これには空気導出口９ｂに対応する複数のスリット孔９ｃａが形成されている。
【００３７】
ダンパー９ｃは、図示しないモータなどの駆動手段により、空気導出口９ｂとスリット孔９ｃａとが合致する全開位置と、空気導出口９ｂに対してスリット孔９ｃａがずらされた全閉位置との間で往復的に駆動される。なお、ダンパー９ｃのスライド方向は、ダンパー９ｃの長尺方向，幅方向のいずれであってもよい。なお、例えば、除湿性能を損なわない範囲で中間の半開位置に駆動されるようにしてもよく、更に空気導入量を調節することができ、人の好みに応じた室内環境を実現できる。
【００３８】
また、ダンパー９ｃは、ダクト９内に室内熱交換器６からの空気（冷気）が逆流して結露が生じないようにするため、空気導出口９ｂ側に配置されることが好ましいが、空気導入口９ａ側に設けられてもよい。
【００３９】
図１（Ｂ）に示すダクト１０は、例えば断面三角形状である長尺の角筒体からなり、角筒体内に配置されるダンパー１０ｃを含んでいる。このダクト１０においては、角筒体の一方の端面に空気導入口１０ａが形成され、角筒体の横方向で対向する両側面に空気導出口１０ｂが複数のスリット状として形成されている。
【００４０】
ダンパー１０ｃは、角筒体内で空気導出口１０ｂ側の両側面にスライド可能に配置される長尺のシャッター板からなり、これには空気導出口１０ｂに対応する複数のスリット孔１０ｃａが形成されている。ダンパー１０ｃは、図示しないモータなどの駆動手段により、空気導出口１０ｂとスリット孔１０ｃａとが合致する全開位置と、空気導出口１０ｂに対してスリット孔１０ｃａがずらされた全閉位置との間で往復的に駆動される。なお、ダンパー１０ｃのスライド方向は、ダンパー１０ｃの長尺方向，幅方向のいずれであってもよく、また、図１（Ａ）と同様に、半開位置に駆動されるようにしてもよい。
【００４１】
このダクト１０においても、ダクト１０内に室内熱交換器６からの空気（冷気）が逆流して結露が生じないようにするため、ダンパー１０ｃは、空気導出口１０ｂ側に配置されることが好ましいが、空気導入口１０ａ側に例えばフラップ弁状のダンパーを設けてもよい。なお、空気導出口１０ｂは、図２（ｂ）に示すように、図１（Ａ）のダクト９と同じく、角筒体の底面に空気導出口１０ｂ’として設けてもよい。
【００４２】
このダクト１０では、一方の端面に形成されている空気導入口１０ａを、例えば、ハウジング１内の側面に配置された室外空気を室内に吸気する換気ファン８に結合して、その換気ファン８からダクト１０内に室外空気を導入するようにしている。なお、空気導入口１０ａをハウジング１の側面に臨ませて、室内送風機７の運転に伴ってダクト１０内に室内空気を吸い込むようにしてもよい。
【００４３】
次に、ダクト９、ダクト１０のハウジング１内の配置例を図４乃至図８を用いて説明する。図４に示すように、第１熱交換器ユニット６ａ（第１室内熱交換器）と第２熱交換器ユニット６ｂ（第２室内熱交換器）の上端間に隙間を設け、この隙間にダクト９を配置している。ダクト９では、上面パネル５の空気吸込口５ａから吸込んだ室内空気を空気導入口９ａから導入し、導入した室内空気を空気導出口９ｂから送出することにより、第１熱交換器ユニット６ａと第２熱交換器ユニット６ｂを通った室内空気に混合するようにしたものである。なお、ダクト９は、図２（Ａ）に示すものを配置してもよい。
【００４４】
また、図５に示すように、第１熱交換器ユニット６ａ（第１室内熱交換器）と第２熱交換器ユニット６ｂ（第２室内熱交換器）との上端連結部分の内側に沿って、ダクト１０を配置している（室内熱交換器６の下流側に配置。）。ダクト１０では、換気ファン８から吸気された室外空気を空気導入口１０ａから導入し、導入した室外空気を空気導出口１０ｂから送出する。
【００４５】
そして、除湿性能が著しく悪くならない程度であれば、送出された室外空気を第１熱交換器ユニット６ａと第２熱交換器ユニット６ｂのフィン群の後面側の一部分により熱交換してもよく、熱交換された室外空気が、通常どおりに第１熱交換器ユニット６ａと第２熱交換器ユニット６ｂを通った室内空気に混合するようにしたものである。なお、ダクト１０は、図２（Ｂ）に示すものを配置してもよく、この場合は、空気導出口１０ｂ’から送出される室外空気は直接、第１熱交換器ユニット６ａと第２熱交換器ユニット６ｂを通った室内空気に混合するようにしたものとなる。
【００４６】
この図５に示す例によれば、ダクト１０を室内熱交換器６の下流側に配置するようにしたので、室内熱交換器６の配置や大きさを設計変更する必要がないため、既存の機種にダクト１０を設置することができる。更に、室内機Ｓの小型化を損なうことがない。
【００４７】
更に、図６に示すように、第１熱交換器ユニット６ａ（第１室内熱交換器）と第２熱交換器ユニット６ｂ（第２室内熱交換器）との上端連結部分の外側に沿って、ダクト９の変形例として断面五角形状のダクト１１を配置している（室内熱交換器６の上流側に配置。）。この場合のダクト１１は、第１熱交換器ユニット６ａと第２熱交換器ユニット６ｂとの上端連結部分の外側に沿った２面に空気導出口１１ｂが設けられ、上面パネル５の空気吸込口５ａから吸込んだ室内空気を空気導入口１１ａから導入し、導入した室内空気を空気導出口１１ｂから送出する。
【００４８】
そして、図５に示したダクト１０と同様に、空気導出口１１ｂから送出された室内空気を第１熱交換器ユニット６ａと第２熱交換器ユニット６ｂの後面側の一部分により熱交換され、熱交換された室内空気が、通常どおりに第１熱交換器ユニット６ａと第２熱交換器ユニット６ｂを通った室内空気に混合するようにしたものである。
【００４９】
この図６に示す例によれば、ダクト１１を室内熱交換器６の上流側に配置するようにしたので、室内熱交換器６の配置や大きさを設計変更する必要がないため、既存の機種にダクト１１を設置することができる。更に、室内送風機７から見てダクト１１との距離を最も遠くすることができるので、ダクト１１により導入された室内熱交換器６を通らない空気流と室内熱交換器６を通る空気流とが効果的に混合された上で室内送風機７に導くことができる。
【００５０】
更に、図７及び図８に示すように、ダクトを第１熱交換器ユニット６ａ内に設けてもよい。図７に示すように、第１熱交換器ユニット６ａのフィン群を貫通するように、２分割した第１熱交換器ユニット６ａに、ダクト９を埋設してもよい。この場合、第１熱交換器ユニット６ａは埋設したダクト９を上下の熱交換器で挟んだ形になり、下側の熱交換器を第１室内熱交換器とし、上側の熱交換器を第２室内熱交換器として捉えて、第１室内熱交換器と第２室内熱交換器との間のフィン群内にダクト９を埋設した構成になっている。
【００５１】
また、図８に示すように、第１熱交換器ユニット６ａのフィン群の前面側の一部分に、ダクト９の変形例としてのダクト１２を埋設するようにしてもよい。この場合も図７に示す例と同様に、第１熱交換器ユニット６ａは埋設したダクト１２の上下に熱交換器を形成したようになり、下側の熱交換器を第１室内熱交換器とし、上側の熱交換器を第２室内熱交換器として捉えた構造になっている。なお、図７及び図８においては、第１熱交換器ユニット６ａ内にダクト９、ダクト１２をそれぞれ埋設するようにしているが、第２熱交換器ユニット６ｂ内に埋設するようにしてもよい。
【００５２】
図４乃至図８において説明してきたダクト９乃至ダクト１２のいずれの場合も、ダクトの長さは、導入する生ガスを室内送風機７に対して均等に送出し得るようにするため、室内熱交換器６の長手方向の幅の１／２以上であることが好ましい。
【００５３】
更に、図４乃至図８において説明してきたダクト９乃至ダクト１２のいずれの場合も、導入する生ガスを室内送風機７に対してより均等に送出し得るように、ダクトの空気導出口を工夫している。即ち、図１に示すように、ダクト９の空気導入口９ａやダクト１０の空気導入口１０ａの位置からダクト９の空気導出口９ｂやダクト１０の空気導出口１０ｂの位置までの距離に比例して、空気導出口９ｂや空気導出口１０ｂの開口面積を広くするようにしている。即ち、空気導入口９ｂや空気導出口１０ｂからの距離が遠くなるほど、スリット状に形成された孔の数を多くし、開口面積を広くするようにしている。このように工夫することにより、図３に示すように、空気吸込口５ａからの流入空気や換気ファン８からの流入空気を、ダクト９の空気導出口９ｂやダクト１０の空気導出口１０ｂから室内送風機７に対して均等に送出することができる。
【００５４】
これまで説明してきた生ガス導入手段は長尺の角筒体からなるダクトを用いた構成であったが、その他の生ガス導入手段について説明する。図９に示すように、第１熱交換器ユニット６ａ（第１室内熱交換器）と第２熱交換器ユニット６ｂ（第２室内熱交換器）との上端連結部分の内側であって、室内熱交換器６を支持する側板に備えた空気導入孔１３を配置しているものである（室内熱交換器６の下流側に配置。）。空気導入孔１３は、言い換えれば、一種の短尺の角筒体からなるダクトを側板に構成したものと同等であり、図５に示すような上面パネル５の空気吸込口５ａから吸込んだ室内空気を空気導入孔１３から導入することにより、第１熱交換器ユニット６ａと第２熱交換器ユニット６ｂを通った室内空気に混合するようにしたものである。側板に備えた空気導入孔１３も、室内送風機７への結露を防止できるなど、長尺の角筒体からなるダクトと同様な効果を得ることができる。なお、図１（ｂ）に示すような換気ファン８から吸気された室外空気を空気導入孔１３から導入するようにしてもよい。
【図面の簡単な説明】
【００５５】
【図１】本発明による空気調和機の生ガス導入用ダクトを示す説明図で、（Ａ）は室内空気を導入するダクトの一実施例を示す分解斜視図、（Ｂ）は室外空気を導入するダクトの一実施例を示す分解斜視図である。
【図２】本発明による空気調和機の生ガス導入用ダクトを示す説明図で、（Ａ）は室内空気を導入するダクトの他の実施例を示す部分斜視図、（Ｂ）は室外空気を導入するダクトの他の実施例を示す部分斜視図である。
【図３】図１の生ガス導入用ダクトの生ガスの流れを模式的に示す説明図で、（Ａ）は図１（Ａ）に対応する説明図、（Ｂ）は図１（Ｂ）に対応する説明図である。
【図４】本発明による空気調和機のハウジング内での生ガス導入用ダクトの第一配置例を模式的に示す断面図である。
【図５】本発明による空気調和機のハウジング内での生ガス導入用ダクトの第二配置例を模式的に示す断面図である。
【図６】本発明による空気調和機のハウジング内での生ガス導入用ダクトの第三配置例を模式的に示す断面図である。
【図７】本発明による空気調和機のハウジング内での生ガス導入用ダクトの第四配置例を模式的に示す断面図である。
【図８】本発明による空気調和機のハウジング内での生ガス導入用ダクトの第五配置例を模式的に示す断面図である。
【図９】本発明の空気調和機のハウジング内でのその他の生ガス導入手段の配置例を示す部分斜視図である。
【図１０】従来の空気調和機の生ガス導入手段を示す説明図である。
【符号の説明】
【００５６】
Ｓ  室内機
１  ハウジング
２  ベース板
３  送風ガイド板
４  パネル本体
４ａ  空気吹出口
４ｂ  上下風向板
４ｃ  ドレンパン
５  上面パネル
５ａ  空気吸込口
６  室内熱交換器
６ａ  第１熱交換器ユニット
６ｂ  第２熱交換器ユニット
６ｃ  第３熱交換器ユニット
７  室内送風機
８  換気ファン
９  ダクト（生ガス導入手段）
９ａ  空気導入口
９ｂ  空気導出口
９ｂ’  空気導出口
９ｃ  ダンパー（開閉手段）
９ｃａ  スリット孔
１０  ダクト（生ガス導入手段）
１０ａ  空気導入口
１０ｂ  空気導出口
１０ｂ’  空気導出口
１０ｃ  ダンパー（開閉手段）
１０ｃａ  スリット孔
１１  ダクト（生ガス導入手段）
１１ａ  空気導入口
１１ｂ  空気導出口
１２  ダクト（生ガス導入手段）
１２ａ  空気導入口
１２ｂ  空気導出口
１３  空気導入孔（生ガス導入手段）
【図１】
2007263516.tif 000003
【図２】
2007263516.tif 000004
【図３】
2007263516.tif 000005
【図４】
2007263516.tif 000006
【図５】
2007263516.tif 000007
【図６】
2007263516.tif 000008
【図７】
2007263516.tif 000009
【図８】
2007263516.tif 000010
【図９】
2007263516.tif 000011
【図１０】
2007263516.tif 000012